(57)【要約】【課題】  コストを抑えつつバリアフリー化を可能にし、且つ、美観の向上と異物落下の防止とを図れる構造を実現する。【解決手段】  下枠４として上面に下部案内レール１１ａ、１１ｂを備えたものを使用する事で、戸車１３ａ、１３ｂとして、広く使用されている低価格品を使用可能にする。又、上記下部案内レール１１ａ、１１ｂの上端縁を、上記下枠４の上面のうちで人や物が移動する部分よりも下方に位置させる事で、バリアフリー化を可能にする。上記各下部案内レール１１ａ、１１ｂを設置した凹部１２ａ、１２ｂの上端開口部で、ガラス障子２ａ、２ｂにより覆われない部分を、カバー帯２１ａ、２１ｂにより覆い、美観の向上と異物の落下防止とを図る。これら各カバー帯２１ａ、２１ｂの中間部は上記下枠４内に配設し、上記ガラス障子２ａ、２ｂの移動に伴って上記上端開口部に引き出す。【選択図】  図１９
2005139682.tif 000002
【特許請求の範囲】
【請求項１】
下辺を構成する下框に複数の戸車を、横軸を中心とする回転自在に支持した引戸障子と、これら各戸車の外周面に全周に亙って形成した凹溝と係合する事でこの引戸障子の水平移動を案内する下部案内レールをその上面に形成した下枠を含む窓枠とを備えた引戸装置に於いて、この下部案内レールは、この下枠の上面に上記引戸障子の移動方向に亙って存在する凹部の底面から上方に突出した状態で設けられ、その上端縁がこの下枠の上面のうちでこの凹部の両側に存在する部分よりも上方には突出しないものであり、可撓性を有する材料製のカバー帯の両端部を上記引戸障子の両縦辺の下端部に連結すると共に、このカバー帯の一部を上記下枠内部の空間部分に配設し、上記引戸障子の移動に伴ってこのカバー帯を、この空間部分と上記凹部の上端開口部との間で移動させる事により、この上端開口部で上記引戸障子により覆われていない部分を、上記カバー帯により覆う様に構成した事を特徴とする引戸装置。
【請求項２】
下枠内部の空間部分の長さ方向一部で引戸障子の移動範囲に関して両端に位置する部分に、カバー帯の走行方向を１８０度折り返すガイドブロックを支持固定した、請求項１に記載した引戸装置。
【請求項３】
引戸障子が窓枠内に、この窓枠の全幅に亙って移動可能に建て込まれており、１枚の引戸障子の両縦辺の下端部にその両端部を連結したカバー帯を折り返す為の１対のガイドブロックが、下枠の両端部に支持固定されている、請求項２に記載した引戸装置。
【請求項４】
同一平面上に配置された１対の引戸障子が窓枠内に、この窓枠の幅方向中間部を境とした引き分け式に建て込まれており、これら両引戸障子の両縦辺の下端部にそれぞれの両端部を連結したカバー帯を折り返す為の２対のガイドブロックが、下枠の両端部と長さ方向中間部とに支持固定されている、請求項２に記載した引戸装置。
【請求項５】
下枠内部の空間部分のうちで、引戸障子の移動範囲に関して両端に位置する部分に設けた１対のガイドブロック同士の間に位置する部分に、これら両ガイドブロック同士の間を移動するカバー帯を案内するガイドチューブを、下枠に支持固定した状態で配置している、請求項１〜４の何れかに記載した引戸装置。
【請求項６】
下部案内レールの上端縁が下枠の上面のうちで凹部の両側に存在する部分よりも下方に位置し、この凹部を仕切る１対の内側面の上端部開口寄り部分に、カバー帯の両端縁を係合させてこのカバー帯を案内する１対のガイド溝が設けられている、請求項１〜５の何れかに記載した引戸装置。
【請求項７】
カバー帯が弾性を有する金属板製であり、１対のガイド溝が、１対の内側面の上端部開口寄り部分に係止された非金属材製のガイド部材に設けられている、請求項６に記載した引戸装置。
【発明の詳細な説明】
【技術分野】
【０００１】
この発明は、バリアフリーサッシと呼ばれる、下枠の上面を平坦にした窓枠に引戸障子を建て込んで成る引戸装置の改良に関する。
【背景技術】
【０００２】
高齢者や身体障害者の移動の容易性を確保する為に、バリアフリーサッシと呼ばれる、下枠の上面を平坦にした窓枠の構造が、例えば特許文献１〜４に記載される等により、従来から各種知られている。これら各特許文献に記載された構造は、何れも、引戸障子の下框に設置した戸車の外周面が単なる円筒面で、上記下枠の上面でこの戸車の外周面が転がり接触する部分が平坦面となっている。
【０００３】
この様な従来構造の場合、戸車として、従来一般的に使用されていたものとは異なる、特殊なものを使用する為、今後広く普及しない限り、コストが嵩む可能性がある。特に現状では、故障した戸車を修理・交換する際に、戸車の取り寄せに要する手間やコストが、一般的な、外周面に全周に亙って凹溝を形成したものに比べて嵩む可能性がある。又、戸車と下枠との係合部で、引戸障子の屋内外方向に関する位置決めを図れない為、別途この引戸障子の屋内外方向に関する位置決めを図る為の構造が必要になる。
【０００４】
この様な事情を考慮した場合、下枠として上面に下部案内レールを備えたものを使用すると共に、この下部案内レールの上端縁を、この下枠の上面のうちで人や物が移動する部分よりも下方に位置させる構造を採用する事が有利である。この場合、下枠の上面に凹部を、引戸障子の移動方向に亙って設け、上記下部案内レールを、この凹部の底面から上方に突出する状態で設ける。従って上記下枠の上面には、この凹部の開口部が存在し、この開口部の中央部に上記下部案内レールの上端縁が存在する状態となる。
【０００５】
上記凹部及び下部案内レールは、上記下枠の全長に亙って設けるのに対し、上記引戸障子の長さ（幅）はこの下枠の全長よりも短い。この為、上記凹部の開口部及び下部案内レールの上端縁の長さ方向の一部は、上記引戸障子により覆われる事なく露出する。この為、当該部分の体裁が悪くなるだけでなく、異物が上記凹部内に落下した場合に、この異物を取り出しにくくなる。即ち、上記凹部の開口部のほぼ中間部に上記下部案内レールの上端縁が存在する為、この開口部は幅方向に２分割されて狭くなる。この結果、上記凹部内にピン等の異物が落下した場合に、この異物を取り出しにくくなる。
【０００６】
特許文献５には、昇降式のシャッタの両側縁部を案内する為の昇降案内溝の一部でシャッタパネルを巻き上げた場合にこのシャッタパネルの下方に露出する部分を、帯状封止材により覆う構造が記載されている。但し、この様な特許文献５に記載された構造は、鉛直方向に存在する溝の開口部を覆う事のみを意図していて、引戸装置の下枠の上面に存在する溝部の上端開口を覆う事を意図しているものではない。又、帯状封止材を巻き取り機構により巻き取る等、構造が複雑で、設置スペースが限られた引戸装置に適用する事は難しい。
【０００７】
【特許文献１】実公昭５５−１９８１４号公報
【特許文献２】特開２０００−９６９３４号公報
【特許文献３】特許第３２３３９２０号公報
【特許文献４】特許第３２３３９２１号公報
【特許文献５】特開平５−３４０１７３号公報
【発明の開示】
【発明が解決しようとする課題】
【０００８】
本発明は、上述の様な事情に鑑みて、下枠として上面に下部案内レールを備えたものを使用すると共に、この下部案内レールの上端縁を、この下枠の上面のうちで人や物が移動する部分よりも下方に位置させた構造で、下枠上面の体裁を良好にし、且つ、凹部内への異物の落下を防止できる構造を実現すべく発明したものである。
【課題を解決するための手段】
【０００９】
本発明の引戸装置は、従来から一般的に実施されている引戸装置と同様に、下辺を構成する下框に複数の戸車を、横軸を中心とする回転自在に支持した引戸障子と、これら各戸車の外周面に全周に亙って形成した凹溝と係合する事でこの引戸障子の水平移動を案内する下部案内レールをその上面に形成した下枠を含む窓枠とを備える。
特に、本発明の引戸装置に於いては、上記下部案内レールは、上記下枠の上面に上記引戸障子の移動方向に亙って存在する凹部の底面から上方に突出した状態で設けられ、その上端縁がこの下枠の上面のうちでこの凹部の両側に存在する部分よりも上方には突出しないものである。
又、可撓性を有する材料製のカバー帯の両端部を上記引戸障子の両縦辺の下端部に連結すると共に、このカバー帯の一部を上記下枠内部の空間部分に配設している。そして、上記引戸障子の移動に伴ってこのカバー帯を、この空間部分と上記凹部の上端開口部との間で移動させる事により、このカバー帯によりこの上端開口部で上記引戸障子により覆われていない部分を覆う様に構成している。尚、上記カバー帯端部と引戸障子の縦辺下端部との連続部の構造は、押し引き方向の力を伝達できれば良く、ピンと孔との係合、凹凸係合、ねじによる固定等を含む。
【発明の効果】
【００１０】
上述の様に構成する本発明の引戸装置の場合、下枠として上面に下部案内レールを備えたものを使用する為、引戸障子の下框に設ける戸車として、外周面に全周に亙って凹溝を形成したものを使用できる。この為、戸車自体のコストを低く抑えられる他、戸車と下部案内レールとの係合部で、引戸障子の屋内外方向に関する位置決めを図れる。従って、別途この引戸障子の屋内外方向に関する位置決めを図る為の構造を設ける必要がなく、この面からもコスト低減を図れる。
又、上記下部案内レールの上端縁を、この下枠の上面のうちで人や物が移動する部分よりも下方に位置させているので、下枠の上面を実質的に平坦にして、この人や物の移動を容易に行なえる様にできる。
更に、上記下部案内レールの上端縁を上方に突出させない様にする為、上記下枠の上面に設けた凹部の上端開口部で上記引戸障子により覆われていない部分をカバー帯により覆う為、上記下枠上面の体裁を良好にし、且つ、上記凹部内への異物の落下を防止できる。上記カバー帯は、両端部を上記引戸障子の両縦辺の下端部に連結すると共に、このカバー帯の一部を上記下枠内部の空間部分に配設している為、上記引戸障子の移動距離に関係なく、上記カバー帯を窓枠内に確実に収納できる。
【発明を実施するための最良の形態】
【００１１】
本発明を実施する場合に好ましくは、請求項２に記載した様に、下枠内部の空間部分の長さ方向一部で引戸障子の移動範囲に関して両端に位置する部分に、カバー帯の走行方向を１８０度折り返すガイドブロックを支持固定する。
この様に構成すれば、上記カバー帯の移動を円滑に行なわせて、上記引戸障子の移動に要する力を小さくできる他、上記カバー帯に無理な力が加わる事を防止して、このカバー帯の損傷防止を図れる。
【００１２】
又、本発明を実施する場合に、例えば、請求項３に記載した様に、引戸障子が窓枠内に、この窓枠の全幅に亙って移動可能に建て込む。そして、１枚の引戸障子の両縦辺の下端部にその両端部を連結したカバー帯を折り返す為の１対のガイドブロックを、下枠の両端部に支持固定する。
この様に構成すれば、上記引戸障子の移動範囲が広い構造で、下枠の上面に設けた凹部の上端開口部で上記引戸障子により覆われていない部分をカバー帯により、確実に覆う事ができる。
或は、請求項４に記載した様に、同一平面上に配置された１対の引戸障子を窓枠内に、この窓枠の幅方向中間部を境とした引き分け式に建て込む。そして、これら両引戸障子の両縦辺の下端部にそれぞれの両端部を連結したカバー帯を折り返す為の２対のガイドブロックを、下枠の両端部と長さ方向中間部とに支持固定する。
この様に構成すれば、同一平面上に１対の引戸障子を建て込んだ構造で、下枠の上面に設けた凹部の上端開口部で上記引戸障子により覆われていない部分をカバー帯により、確実に覆う事ができる。
【００１３】
又、本発明を実施する場合に好ましくは、請求項５に記載した様に、下枠内部の空間部分のうちで、引戸障子の移動範囲に関して両端に位置する部分に設けた１対のガイドブロック同士の間に位置する部分に、これら両ガイドブロック同士の間を移動するカバー帯を案内するガイドチューブを、下枠に支持固定した状態で配置する。
この様に構成すれば、上記空間部分に何らかの異物が存在した場合でも、この異物に上記カバー帯が絡まったりする事を防止できる。そして、このカバー帯の移動を円滑に行なわせて、上記引戸障子の移動に要する力を小さくできる他、このカバー帯の損傷防止を図れる。
【００１４】
又、本発明を実施する場合に好ましくは、請求項６に記載した様に、下部案内レールの上端縁を下枠の上面のうちでこの凹部の両側に存在する部分よりも下方に位置させる。そして、凹部を仕切る１対の内側面の上端部開口寄り部分に、カバー帯の両端縁を係合させてこのカバー帯を案内する、１対のガイド溝を設ける。
この様に構成すれば、上記カバー帯の両端縁が上記凹部の開口縁部から浮き上がる事を確実に防止できる。この結果、この凹部内に細かい異物が入り込んだり、上記カバー帯に何らかの物が引っ掛かる事を有効に防止できる。
【００１５】
又、上記請求項６に記載した発明を実施する場合に好ましくは、請求項７に記載した様に、カバー帯を金属板製とし、１対のガイド溝を、１対の内側面の上端部開口寄り部分に係止された非金属材製のガイド部材に設ける。この場合に使用する非金属材としては、合成樹脂の他、オレフィン系等のエラストマーが、好ましく使用できる。
この様に構成すれば、上記カバー帯に十分な強度及び剛性を持たせ、且つ、このカバー帯と、アルミニウム合金の押し出し型材製の下枠との擦れ合い部で、耳障りな音が発生する事を防止できる。
【実施例１】
【００１６】
図１〜１９は、請求項１〜３、５〜７に対応する、本発明の実施例１を示している。本実施例は、本発明を、掃き出し窓として一般的な、引違戸に適用した場合に就いて示している。この為に本実施例の場合には、窓枠１の内側に、それぞれが特許請求の範囲に記載した引戸障子である１対のガラス障子２ａ、２ｂを、引き違い式に建て込んでいる。このうちの窓枠１は、上辺を構成する上枠３と、下辺を構成する下枠４と、左右の縦辺を構成する竪枠５ａ、５ｂとにより、矩形に構成している。これら各枠３、４、５ａ、５ｂは、それぞれアルミニウム合金の一体押し出し成形材製である。又、上記各ガラス障子２ａ、２ｂは、それぞれの上辺を構成する上框６ａ、６ｂと、同じく下辺を構成する下框７ａ、７ｂと、左右の縦辺を構成する竪框である、召し合わせ框８ａ、８ｂ及び突き合わせ框９ａ、９ｂとにより、ガラスパネル１０ａ、１０ｂの四辺を囲んで成る。これら各框６ａ、６ｂ、７ａ、７ｂ、８ａ、８ｂ、９ａ、９ｂも、アルミニウム合金の一体押し出し成形材製である。このうちの召し合わせ框８ａ、８ｂは、上記掃き出し窓の閉鎖時に上記窓枠１の中央に位置して、屋内外方向に亙り互いに対向する。これに対して上記各突き合わせ框９ａ、９ｂは、上記掃き出し窓の閉鎖時に上記窓枠１の端部に位置して、上記各竪枠５ａ、５ｂに突き合わされる。
【００１７】
上記各ガラス障子２ａ、２ｂは上記窓枠１の内側に、一般的に知られている引違戸と同様の構造により、水平移動自在に建て込まれている。この為に、上記上枠３の下面に１対の上部案内レールを、屋内外方向に離隔した状態で設けている。そして、上記各召し合わせ框８ａ、８ｂ及び突き合わせ框９ａ、９ｂの上端部に支持したガイドブロックに形成したガイド溝に上記各上部案内レールを係合させている。この構成により、上記各ガラス障子２ａ、２ｂの上端部を上記上枠３に沿う平行移動自在に支持している。この様に、上記各ガラス障子２ａ、２ｂの上辺を上記上枠３に対し水平移動自在に係合させる部分の構造は、従来から広く知られている構造と同様であり、本発明の要点とも関係しない為、詳しい図示並びに説明は省略する。
【００１８】
これに対して、上記下枠４には図１６、１９に示す様に、１対の下部案内レール１１ａ、１１ｂを、屋内外方向に離隔した状態で設けている。但し、本実施例の場合、一般的な引違戸を構成する下枠とは異なり、上記各下部案内レール１１ａ、１１ｂを、上記下枠４の上面にこの下枠４の全長に亙って設けた１対の凹部１２ａ、１２ｂの底面から、上方に突出した状態で設けている。又、上記各下部案内レール１１ａ、１１ｂの高さ寸法は上記各凹部１２ａ、１２ｂの深さ寸法よりも小さくして、これら各下部案内レール１１ａ、１１ｂの上端縁が、上記下枠４の上面のうちで上記各凹部１２ａ、１２ｂの両側に存在する平面部分よりも下方に位置する様にしている。この構成により、上記各下部案内レール１１ａ、１１ｂの存在に拘らず、上記下枠４の上面を幅の狭い上記各凹部１２ａ、１２ｂの上端開口部を除き、実質的に平坦にして、高齢者や障害者、更には車椅子等の移動を容易に行なえる様にしている。
【００１９】
この様な構成を有する上記下枠４に沿う移動を可能にする為に、上記各ガラス障子２ａ、２ｂの下辺を構成する前記下框７ａ、７ｂの両端部近傍部分に戸車１３ａ、１３ｂを、屋内外方向に設けられた横軸を中心とする回転自在に支持している。これら各戸車１３ａ、１３ｂは、従来から一般的な引違戸に使用されていた戸車と同様のもので、外周面中央部に凹溝１４ａ、１４ｂを、全周に亙り形成している。この様な凹溝１４ａ、１４ｂを設けた上記各戸車１３ａ、１３ｂをそれぞれ１対ずつ支持した上記各下框７ａ、７ｂは、上記下部案内レール１１ａ、１１ｂと上記各凹溝１４ａ、１４ｂとを係合させる事で、上記下枠４の上方位置に、この下枠４に沿った水平移動を自在に支持している。
以上の構成により、上記各ガラス障子２ａ、２ｂを上記窓枠１の内側に、水平移動自在に建て込んでいる。
【００２０】
又、図示の例では、上記下枠４の屋外側端部（図１９の左端部）上面に形成した屋外端突条１５と、上記１対の凹部１２ａ、１２ｂ同士を仕切る中央突条１６との屋内側面（図１９の右側面）に、それぞれブラケット１７ａ、１７ｂを係止している。上記各下部案内レール１１ａ、１１ｂのうち、屋外側の下部案内レール１１ａの上半部は、屋外側のブラケット１７ａと上記中央突条１６との上半部同士の間の中間部に存在する。そして、上記屋外側の戸車１３ａの一部は、これら屋外側のブラケット１７ａと中央突条１６との上半部同士の間に入り込んでいる。これに対して、屋内側の下部案内レール１１ｂの上半部は、屋内側のブラケット１７ｂと屋内端突条１８との上半部同士の間の中間部に存在する。そして、上記屋内側の戸車１３ｂの一部は、これら屋内側のブラケット１７ｂと屋内端突条１８との上半部同士の間に入り込んでいる。
【００２１】
又、前記各下框７ａ、７ｂの屋内側壁１９ａ、１９ｂのうち、屋外側の下框７ａの屋内側壁１９ａの下端部を上記屋外側の下部案内レール１１ａと上記中央突条１６との間に、屋内側の下框７ｂの屋内側壁１９ｂの下端部を上記屋内側の下部案内レール１１ｂと上記屋内端突条１８との間に、それぞれ進入させている。更に、上記各突条１６、１８の上端部屋外側面に係止したシール部材２０ａ、２０ｂに設けたシールリップの先端縁を上記各屋内側壁１９ａ、１９ｂの下端部屋内側面に摺接させて、上記下枠４と上記各下框７ａ、７ｂとの間をシールしている。
【００２２】
本発明を上述の様な引違戸に適用した本実施例の場合、図２に略示する様に、可撓性を有する材料製のカバー帯２１ａ（２１ｂ）の両端部を前記ガラス障子２ａ（２ｂ）の両縦辺の下端部に連結すると共に、このカバー帯２１ａ（２１ｂ）の一部を上記下枠４の内部に存在する空間２２部分に配設している。そして、上記ガラス障子２ａ（２ｂ）の移動に伴って上記カバー帯２１ａ（２１ｂ）を、上記空間２２部分と、前記凹部１２ａ（１２ｂ）の上端開口部との間で移動させる事により、この上端開口部で上記ガラス障子２ａ（２ｂ）により覆われていない部分を、上記カバー帯２１ａ（２１ｂ）により覆う様に構成している。
【００２３】
この様なカバー帯２１ａ（２１ｂ）は、それぞれ金属製の巻き尺を構成する金属板の如きステンレス鋼板、或は合成樹脂を一体押し出し成形する事により造られた長尺材等、可撓性を有する弾性材製である。本実施例の場合には、上記カバー帯２１ａ（２１ｂ）として、自由状態での断面形状が円弧形となるものを使用して、このカバー帯２１ａ（２１ｂ）の肉厚を小さく抑えつつ、剛性の確保を図っている。尚、このカバー帯２１ａ（２１ｂ）の湾曲方向は、上記凹部１２ａ（１２ｂ）の上端開口を覆った状態で、その上面が凸曲面となる方向としている。この理由は、上記カバー帯２１ａ（２１ｂ）と前記下部案内レール１１ａ（１１ｂ）の上端縁との干渉を防止しつつ、この下部案内レール１１ａ（１１ｂ）の高さ寸法を確保する為である。
【００２４】
この様なカバー帯２１ａ（２１ｂ）の幅方向両側縁は、上記凹部１２ａ（１２ｂ）の上端開口両側部分に設けられたガイド溝２３、２３に、長さ方向の摺動自在に係合している。この為に、前記屋外側のブラケット１７ａと前記中央突条１６との（前記屋内側のブラケット１７ｂと前記屋内端突条１８との）互いに対向する面の上端部に、上記各ガイド溝２３、２３を形成している。本実施例の場合、これら各ガイド溝２３、２３を、前記下枠４を構成するアルミニウム合金の押し出し型材製の部材に形成した係止溝に係止した、合成樹脂の押し出し型材製のライナ部材２４、２４に形成している。上記カバー帯２１ａ（２１ｂ）が上記下枠４に沿って移動する際には、このカバー帯２１ａ（２１ｂ）の両側縁が上記各ガイド溝２３、２３に案内される。
【００２５】
この様なカバー帯２１ａ（２１ｂ）は、その両端部を前記ガラス障子２ａ（２ｂ）の縦辺を構成する召し合わせ框８ａ（８ｂ）及び突き合わせ框９ａ（９ｂ）の下端部に連結している。このうち、上記カバー帯２１ａ（２１ｂ）の一端部と上記召し合わせ框８ａ（８ｂ）の下端部との連結部を構成する為、図３〜９に示す様に、この召し合わせ框８ａ（８ｂ）の下端部外側面に、連結ブラケット２５をねじ止め固定している。そして、この連結ブラケット２５により、上記カバー帯２１ａ（２１ｂ）の一端部から上方にほぼ直角に曲げ起こした曲げ起こし部２６ａを係止している。この曲げ起こし部２６ａの幅寸法は、図１０に示す様に、上記カバー帯２１ａ（２１ｂ）の本体部分の幅寸法よりも小さい。従って上記曲げ起こし部２６ａは、上記ライナ部材２４、２４の間から、前記凹部１２ａ（１２ｂ）の上端開口よりも上方に突出する。
【００２６】
上記連結ブラケット２５は、合成樹脂を一体成形して成るもので、上記召し合わせ框８ａ（８ｂ）の下端部外側面に対向する内側面中間部にＴ字形の係止片２７を、上端部に内外両側面同士を貫通する上下方向に長い長孔２８を、それぞれ設けている。この長孔２８の幅及び長さは、内側面側で狭く且つ短く、外側面側で広く且つ長くしている。又、上記連結ブラケット２５の下端部には厚肉部２９を形成し、この厚肉部２９の下面に、上記曲げ起こし部２６ａの上端部を挿入する為の係止凹部３０を形成している。更に、上記厚肉部２９の下面でこの係止凹部３０を上記ガラス障子２ａ（２ｂ）の移動方向両側から挟む位置に、ガイド突片３１と係止突片３２とを、上記厚肉部２９の下面から下方に突出する状態で形成している。これら両突片３１、３２のうち、上記召し合わせ框８ａ（８ｂ）の外側面寄りのガイド突片３１の高さ寸法は、上記係止凹部３０に対してこの外側面と反対側に設けられた係止突片３２の高さ寸法よりも大きくしている。又、上記連結ブラケット２５の上下３個所位置には、それぞれ内外両側面同士を貫通する円形の貫通孔３３ａ、３３ｂ、３３ｃを設けている。これら各貫通孔３３ａ、３３ｂ、３３ｃのうち、上下の貫通孔３３ａ、３３ｃは、上記召し合わせ框８ａ（８ｂ）と下框７ａ（７ｂ）（図１、２参照）とを連結するタッピングねじを回転させる工具（ドライバ）を挿通する為のものである。又、中間の貫通孔３３ｂは、戸車１３ａ（１３ｂ）の高さ調節を行なう工具（ドライバ）を挿通する為のものである。
【００２７】
一方、上述の様な連結ブラケット２５をねじ止め固定する、上記召し合わせ框８ａ（８ｂ）の下端部には、図７に示す様に、４個の孔を形成している。このうちの最も上側に形成した小円孔３４は、タッピングねじ３５を螺合させる為のものである。又、上から２番目の円孔３６ａは、上記各貫通孔３３ａ〜３３ｃのうちの上側の貫通孔３３ａと整合して、上記召し合わせ框８ａ（８ｂ）内への上記工具の挿入を可能にする為のものである。又、下から２番目のガイド孔３７は、下端部の円形部３８から上方に向け、この円形部３８よりも幅が狭いガイド部３９を延出したものである。このうちの円形部３８は、上記連結ブラケット２５の係止片２７全体を通過させられる大きさを有するのに対して、上記ガイド部３９は、この係止片２７の基半部を進入させられるが、幅が広くなった先半部を通過させる事はできない幅寸法を有する。又、上記円形部３８は、上記各貫通孔３３ａ〜３３ｃのうちの中間の貫通孔３３ｂと整合して、上記召し合わせ框８ａ（８ｂ）内への上記工具の挿入を可能にする役目も有する。更に、最も下側に形成した円孔３６ｂは、上記各貫通孔３３ａ〜３３ｃのうちの下側の貫通孔３３ｃと整合して、上記召し合わせ框８ａ（８ｂ）内への上記工具の挿入を可能にする為のものである。
【００２８】
上述の様な各孔３４、３６ａ、３７、３６ｂを構成した上記召し合わせ框８ａ（８ｂ）に上記連結ブラケット２５を装着する作業は、次の様にして行なう。尚、以下の説明での上下方向は、使用状態での方向を言い、必ずしも装着作業時の方向とは一致しない。先ず、この連結ブラケット２５の係止片２７と上記ガイド孔３７下端の円形部３８とを整合させた状態で、この連結ブラケット２５を上記召し合わせ框８ａ（８ｂ）の外側面に押し付ける。次いで、この連結ブラケット２５を上方に変位させ、上記係止片２７の基半部を上記ガイド部３９内に進入させる。次いで、前記長孔２８を挿通した前記タッピングねじ３５を上記小円孔３４に螺合し更に緊締する。工場出荷時に於いて上記連結ブラケット２５は、図３、８に示す様に上端位置に移動させ、上記タッピングねじ３５は上記長孔２８の下端に位置させる。この状態で、上記両円孔３６ａ、３６ｂが上記各貫通孔３３ａ、３３ｃと、上記円形部３８が上記貫通孔３３ｂと、それぞれ整合する。
【００２９】
この状態で、上記連結ブラケット２５を支持固定した上記召し合わせ框８ａ（８ｂ）を含む、前記ガラス障子２ａ（２ｂ）を窓枠１内に建て込んだ後、上記連結ブラケット２５に前記カバー帯２１ａ（２１ｂ）の一端を連結する。この連結作業は、図８、９に示す様にして行なう。先ず、図８に示す様に、上記連結ブラケット２５を最上位置に移動させた状態で、上記カバー帯２１ａ（２１ｂ）の一端部に設けた前記曲げ起こし部２６ａを上記連結ブラケット２５の下方に進入させる。尚、上記カバー帯２１ａ（２１ｂ）の両側縁は、予め前記各ガイド溝２３、２３に係合させておく。この状態で上記曲げ起こし部２６ａを上記連結ブラケット２５の下方に進入させると、この曲げ起こし部２６ａが前記係止突片３２の下方を通過してから、この曲げ起こし部２６ａの上端部が前記ガイド突片３１に突き当たる。そこで、この状態で、上記タッピングねじ３５を緩めて、図９に示す様に、上記連結ブラケット２５を下降させる。この結果、上記曲げ起こし部２６ａの上端部が前記係止凹部３０内に進入する。この状態では、この曲げ起こし部２６ａと、この係止凹部３０及び上記係止突片３２との係合により、この曲げ起こし部２６ａが上記召し合わせ框８ａ（８ｂ）の外側面から離れる方向に変位する事が阻止された状態となり、この召し合わせ框８ａ（８ｂ）と上記カバー帯２１ａ（２１ｂ）の一端部とが連結された状態となる。上記タッピングねじ３５は、これら召し合わせ框８ａ（８ｂ）とカバー帯２１ａ（２１ｂ）の一端部とを連結した状態で緊締しておく。
【００３０】
又、上記カバー帯２１ａ（２１ｂ）の他端部と前記突き合わせ框９ａ（９ｂ）の下端部との連結部を構成する為、図１１〜１５に示す様に、この突き合わせ框９ａ（９ｂ）の下端部外側面に、第二の連結ブラケット４０をねじ止め固定している。この第二の連結ブラケット４０は、ステンレス鋼板等の十分な剛性及び強度を有する金属板に、打ち抜き、曲げ等のプレス加工を施す事により、図１３に示す様に構成している。即ち、上記第二の連結ブラケット４０は、上記突き合わせ框９ａ（９ｂ）の下端部外側面に重ね合わされる、上下方向に長い矩形の基板部４１と、この基板部４１の下端縁中央部から前記ガラス障子２ａ（２ｂ）の中央部に向けてほぼ直角に折れ曲がった連結板部４２と、この連結板部４２の先端部から上方にほぼ直角に折れ曲がった係止板部４３とを備える。これら連結板部４２及び係止板部４３の幅寸法は、上記基板部４１の幅寸法よりも小さい。又、この基板部４１の幅寸法は、図１２に示す様に、上記突き合わせ框９ａ（９ｂ）の外側面の両端部に形成した１対の突条４４、４４の基部の間隔よりも少しだけ小さくしている。従って上記基板部４１は、上記突き合わせ框９ａ（９ｂ）の外側面に、上下方向の移動自在に、且つ回転を阻止された状態で突き合わされる。又、上記基板部４１の上半部には、上下方向に長い長孔４５を、下半部には円孔４６を、それぞれ形成している。
【００３１】
この様な第二の連結ブラケット４０は上記突き合わせ框９ａ（９ｂ）の下端部外側面に、上下位置の調節を自在に支持している。即ち、上記基板部４１を上記突き合わせ框９ａ（９ｂ）の外側面に、上記１対の突条４４、４４の基部同士の間に挟持する状態で重ね合わせ、上記長孔４５を挿通した止めねじ４７を上記突き合わせ框９ａ（９ｂ）に形成したねじ孔に螺合させている。又、この突き合わせ框９ａ（９ｂ）の下端部には合成樹脂製のガイドブロック４８を、ねじ４９により結合固定している。このガイドブロック４８の外側面には、前記カバー帯２１ａ（２１ｂ）の他端部を挿入する為の凹部５０が形成されており、上記第二の連結ブラケット４０の連結板部４２及び係止板部４３は、上記凹部５０内に入り込んでいる。工場出荷時に於いて上記第二の連結ブラケット４０は、図１１、１４に示す様に上端位置に移動させ、上記止めねじ４７は上記長孔４５の下端に位置させる。この状態で、上記円孔４６と、上記ガイドブロック４８に形成した通孔５１とが整合し、上記突き合わせ框９ａ（９ｂ）と前記下框７ａ（７ｂ）とを結合するタッピングねじを締め付ける為の工具（ドライバ）を挿通自在となる。
【００３２】
この状態で、上記第二の連結ブラケット４０を支持固定した上記突き合わせ框９ａ（９ｂ）を含む、前記ガラス障子２ａ（２ｂ）を、窓枠１内に建て込んだ後、上記第二の連結ブラケット４０に前記カバー帯２１ａ（２１ｂ）の他端を連結する。この連結作業は、図１４、１５に示す様にして行なう。先ず、図１４に示す様に、上記第二の連結ブラケット４０を最上位置に移動させた状態で、上記カバー帯２１ａ（２１ｂ）の他端部に設けた前記一端側の曲げ起こし部２６ａと同様の構成を有する曲げ起こし部２６ｂを、上記第二の連結ブラケット４０の下方に進入させる。尚、この場合も、上記カバー帯２１ａ（２１ｂ）の両側縁は、予め前記各ガイド溝２３、２３に係合させておく。この状態で上記曲げ起こし部２６ｂを上記第二の連結ブラケット４０の下方に進入させると、この曲げ起こし部２６ｂが上記凹部５０の奥端面に突き当たる。そこで、この状態で、前記止めねじ４７を緩めて、上記第二の連結ブラケット４０を下降させる。この結果、上記曲げ起こし部２６ｂが前記係止板部４３と対向する。この状態では、この曲げ起こし部２６ｂと、この係止板部４３との係合により、この曲げ起こし部２６ｂが上記突き合わせ框９ａ（９ｂ）の外側面から離れる方向に変位する事が阻止された状態となり、この突き合わせ框９ａ（９ｂ）と上記カバー帯２１ａ（２１ｂ）の他端部とが連結された状態となる。上記止めねじ４７は、上記第二の連結ブラケット４０を下降させた後、緊締しておく。
【００３３】
上述の様にして、その両端部を前記ガラス障子２ａ（２ｂ）の両縦辺を構成する召し合わせ框８ａ（８ｂ）及び突き合わせ框９ａ（９ｂ）の下端部外側面に結合した上記カバー帯２１ａ（２１ｂ）は、図２に示す様に、その中間部を１８０度折り返している。要するに、この図２に示す様に、上記カバー帯２１ａ（２１ｂ）と、このカバー帯２１ａ（２１ｂ）の両端部同士を結合した下框７ａ（７ｂ）とを、閉鎖環状に組み合わせている。そして、この閉鎖環を構成する上記カバー帯２１ａ（２１ｂ）のうち、この閉鎖環の上辺を構成する部分を上記各ガイド溝２３、２３に係合させて、前記凹部１２ａ（１２ｂ）の上端開口部を塞いでいる。
【００３４】
又、上記カバー帯２１ａ（２１ｂ）のうち、上記閉鎖環の上辺を構成する部分と同じく下辺を構成する部分とを滑らかに連続させる為に、前記下枠４の両端部に、図１６〜１９に示す様なガイドブロック５２を、上記ガラス障子２ａ（２ｂ）毎に２個ずつ、合計４個支持固定している。このガイドブロック５２を設ける為に、上記下枠４の上面に形成した、前記各下部案内レール１１ａ、１１ｂ及び中央突条１６、並びにブラケット１７ａ、１７ｂの両端部と前記各竪枠５ａ、５ｂの下部内側面とは直接は突き合わせず、上記ガイドブロック５２分の隙間を設けている。又、このガイドブロック５２は、合成樹脂製で、上記カバー帯２１ａ（２１ｂ）の中間部を通過させる為の案内通路５３を有する。この案内通路５３の内面のうちでこのカバー帯２１ａ（２１ｂ）の折り返し方向内側に対向（摺接）する部分は、半円筒形の凸曲面としている。このカバー帯２１ａ（２１ｂ）は、その中間部を上述の様なガイドブロック５２により折り返されている為、上記閉鎖環の上辺と下辺との間で円滑に移動できる。
【００３５】
更に、上記下枠４の内部に、この下枠４の両端部分に設けた１対のガイドブロック５２同士の間に掛け渡す状態で、ガイドチューブ５５を設けている。このガイドチューブ５５は、ポリアミド樹脂等、滑り易い合成樹脂を押し出し成形する事により造ったもので、上記下枠４に設けたタッピング溝５６を利用して、この下枠４内に支持している。そして、上記ガイドチューブ５５内に、上記カバー帯２１ａ（２１ｂ）のうち、上記閉鎖環の下辺を構成する部分を挿通している。
【００３６】
上述の様なカバー帯２１ａ（２１ｂ）は、上記ガラス障子２ａ（２ｂ）の移動に伴い、前記凹部１２ａ（１２ｂ）の上端開口で、このガラス障子２ａ（２ｂ）の下框７ａ（７ｂ）により覆われない部分を覆う。即ち、このガラス障子２ａ（２ｂ）を移動させると、移動方向後方で上記カバー帯２１ａ（２１ｂ）が、上記ガイドブロック５２の案内通路５３を通じて、上記ガイドチューブ５５から引き出される。そしてこのカバー帯２１ａ（２１ｂ）が、その両側縁を前記各ガイド溝２３、２３に係合させつつ上記凹部１２ａ（１２ｂ）の上端開口部に引き出されて、この凹部１２ａ（１２ｂ）の上端開口部を覆う。この状態では、上記下枠４の上面の体裁を良好にし、且つ、この凹部１２ａ（１２ｂ）内に異物が落下する事を防止できる。尚、上記カバー帯２１ａ（２１ｂ）のうちでガラス障子２ａ（２ｂ）の移動方向前側に存在する部分は、移動方向後側部分の引き出しに伴って、上記ガイドチューブ５５内に引き込まれる。
【実施例２】
【００３７】
図２０〜２２は、請求項１、２、４〜７に対応する、本発明の実施例２を示している。本実施例の場合には、それぞれが引戸障子である１対のガラス障子２ｃ、２ｃを窓枠１ａ内に、この窓枠１ａの幅方向中間部を境とした引き分け式に建て込んでいる。そして、上記両ガラス障子２ｃ、２ｃの両縦辺を構成する突き合わせ框５７、５７及び振り分け框５８、５８の下端部にそれぞれの両端部を連結したカバー帯２１ｃ、２１ｃを折り返す為の２対のガイドブロック５２、５２を、下枠４ａの両端部と長さ方向中間部とに支持固定している。この為、この下枠４ａの長さ方向中央部に透孔５９を形成し、この透孔５９部分に、中央部に設けるガイドブロック５２、５２の上面を露出させている。本実施例の場合、上記各ガラス障子２ｃ、２ｃは、それぞれ図２０に示した状態と、上記窓枠１ａの片端部との間でのみ移動可能である。上記各ガラス障子２ｃ、２ｃが、この窓枠１ａの中央部を越えて移動する事はない。下枠４ａの屋外側の凹部１２ａの上端開口は、塞ぎ板６０により塞いでいる。その他の部分の構成及び作用は、上述した実施例１と同様であるから、同等部分に関する説明は省略する。
【図面の簡単な説明】
【００３８】
【図１】本発明の実施例１を示す、引戸装置を屋内側から見た略正面図。
【図２】同じくカバー帯を加えた状態で示す略正面図。
【図３】召し合わせ框の下端部とカバー帯の一端部との連結部を示す、図２のＡ矢視図。
【図４】図３の上方から見た図。
【図５】連結ブラケットを図３の左方から見た図。
【図６】同じく図３と同方向から見た図。
【図７】連結ブラケットを支持固定する召し合わせ框の下端部を、図３と同方向から見た図。
【図８】召し合わせ框の下端部とカバー帯の一端部とを連結する為、連結ブラケットを上昇させた状態を、図５と同方向から見た状態で示す図。
【図９】同じく連結ブラケットを下降させた状態を示す図。
【図１０】カバー帯の端部に形成した曲げ起こし部の斜視図。
【図１１】突き合わせ框の下端部とカバー帯の他端部との連結部を示す、図２のＢ矢視図。
【図１２】図１１の上方から見た図。
【図１３】第二の連結ブラケットの斜視図。
【図１４】突き合わせ框の下端部とカバー帯の他端部とを連結する為、第二の連結ブラケットを上昇させた状態を、図１１の左方から見た状態で示す図。
【図１５】同じく第二の連結ブラケットを下降させた状態を示す図。
【図１６】竪枠の下端部と下枠の端部との連結部の斜視図。
【図１７】同じく平面図。
【図１８】図１７のＣ−Ｃ断面図。
【図１９】図１の拡大Ｄ−Ｄ断面図。
【図２０】本発明の実施例２を示す、引戸装置を屋内側から見た略正面図。
【図２１】図２０の拡大Ｅ−Ｅ断面図。
【図２２】下枠中央部の斜視図。
【符号の説明】
【００３９】
１、１ａ  窓枠
２ａ、２ｂ、２ｃ  ガラス障子
３    上枠
４、４ａ  下枠
５ａ、５ｂ  竪枠
６ａ、６ｂ  上框
７ａ、７ｂ  下框
８ａ、８ｂ  召し合わせ框
９ａ、９ｂ  突き合わせ框
１０ａ、１０ｂ  ガラスパネル
１１ａ、１１ｂ  下部案内レール
１２ａ、１２ｂ  凹部
１３ａ、１３ｂ  戸車
１４ａ、１４ｂ  凹溝
１５    屋外端突条
１６    中央突条
１７ａ、１７ｂ  ブラケット
１８    屋内端突条
１９ａ、１９ｂ  屋内側壁
２０ａ、２０ｂ  シール部材
２１ａ、２１ｂ、２１ｃ  カバー帯
２２    空間
２３    ガイド溝
２４    ライナ部材
２５    連結ブラケット
２６ａ、２６ｂ  曲げ起こし部
２７    係止片
２８    長孔
２９    厚肉部
３０    係止凹部
３１    ガイド突片
３２    係止突片
３３ａ、３３ｂ、３３ｃ  貫通孔
３４    小円孔
３５    タッピングねじ
３６ａ、３６ｂ  円孔
３７    ガイド孔
３８    円形部
３９    ガイド部
４０    第二の連結ブラケット
４１    基板部
４２    連結板部
４３    係止板部
４４    突条
４５    長孔
４６    円孔
４７    止めねじ
４８    ガイドブロック
４９    ねじ
５０    凹部
５１    通孔
５２    ガイドブロック
５３    室内通路
５４    凸曲面
５５    ガイドチューブ
５６    タッピング溝
５７    突き合わせ框
５８    振り分け框
５９    透孔
６０    塞ぎ板
【図１】
2005139682.tif 000003
【図２】
2005139682.tif 000004
【図３】
2005139682.tif 000005
【図４】
2005139682.tif 000006
【図５】
2005139682.tif 000007
【図６】
2005139682.tif 000008
【図７】
2005139682.tif 000009
【図８】
2005139682.tif 000010
【図９】
2005139682.tif 000011
【図１０】
2005139682.tif 000012
【図１１】
2005139682.tif 000013
【図１２】
2005139682.tif 000014
【図１３】
2005139682.tif 000015
【図１４】
2005139682.tif 000016
【図１５】
2005139682.tif 000017
【図１６】
2005139682.tif 000018
【図１７】
2005139682.tif 000019
【図１８】
2005139682.tif 000020
【図１９】
2005139682.tif 000021
【図２０】
2005139682.tif 000022
【図２１】
2005139682.tif 000023
【図２２】
2005139682.tif 000024